(57)【要約】【課題】降雨時に鉄塔基礎の上面に泥が跳ね上がるのを防止しつつ、鉄塔基礎の上面を鉄塔に昇り降りする際の足場として常時使用することができる鉄塔脚部の腐食防止泥除けを提供する。【解決手段】鉄塔基礎１０の周囲を囲むように立設されている第１の板体２と、この第１の板体の上端に固設され、鉛直上方側でかつ鉄塔基礎１０から離れる方向に傾いた状態で配されている第２の板体３と、を有していることを特徴とする鉄塔脚部の腐食防止泥除け１Ａによる。【選択図】図１
2019065659.tif 000002
【特許請求の範囲】
【請求項１】
鉄塔基礎の周囲を囲むように立設されている第１の板体と、
この第１の板体の上端に固設され、鉛直上方側でかつ前記鉄塔基礎から離れる方向に傾いた状態で配されている第２の板体と、を有していることを特徴とする鉄塔脚部の腐食防止泥除け。
【請求項２】
前記第１の板体に対する前記第２の板体のなす角度θは、９０°≦θ≦１３５°を満たしていることを特徴とする請求項１に記載の鉄塔脚部の腐食防止泥除け。
【請求項３】
前記第１の板体は、この第１の板体が立設されている地面の地際から鉛直上方側に向かって前記第１の板体を切り欠いてなる少なくとも１のスリットを備えていることを特徴とする請求項１又は請求項２に記載の鉄塔脚部の腐食防止泥除け。
【請求項４】
前記第１の板体と前記第２の板体が一体化してなる連結体が鉛直方向に沿って２つ以上に分割されてなる分割片と、
前記分割片同士の間に形成されている第１の隙間と、を有していることを特徴とする請求項１又は請求項２に記載の鉄塔脚部の腐食防止泥除け。
【請求項５】
前記第１の隙間は、前記連結体を前記鉄塔基礎の周囲に設置した状態で平面視した場合に、前記鉄塔基礎の角部と対応する位置に配されていることを特徴とする請求項４に記載の鉄塔脚部の腐食防止泥除け。
【請求項６】
鉄塔基礎と、
この鉄塔基礎の周囲を囲むように配設されている請求項１乃至請求項５のいずれか１項に記載の鉄塔脚部の腐食防止泥除けと、
前記鉄塔基礎と前記第１の板体の間に形成されている第２の隙間と、
鉄塔脚部の根元に取設され、その下端が前記第２の隙間に裸出している地面に挿設されている接地線と、を有していることを特徴とする鉄塔基礎構造。
【発明の詳細な説明】
【技術分野】
【０００１】
本発明は、鉄塔脚部の根元に配される鉄塔基礎の上面への泥の跳ねあがりを防止するための鉄塔脚部の腐食防止泥除けに関する。
【背景技術】
【０００２】
従来から、鉄塔基礎に近い鉄塔脚部の根元において腐食が生じやすいという課題があった。
鉄塔基礎では、降雨時にその周囲の泥が鉄塔基礎の上面に跳ね上がり、この跳ね上がった泥に、鉄塔を伝って鉄塔基礎に流下してきた雨水がしみ込んで、鉄塔脚部の根元の風乾が遅くなるという現象が起こる。この結果、鉄塔脚部の根元の腐食が進行し易くなるという課題があった。
このような課題に対処するための先行技術文献としては、例えば以下に示すようなものが知られている。
【０００３】
特許文献１には「鉄塔基礎の腐食防止カバー」という名称で、酸性雨による鉄塔基礎の腐食を防止するカバーに関する考案が開示されている。
特許文献１に開示される考案は、鉄塔基礎の降雨による腐食を防止する傘状のカバーを鉄塔骨材の下部より鉄塔基礎の地上にかけて水密に取付けたことを特徴とするものである。
特許文献１に開示される考案によれば、鉄塔基礎の上面を傘状のカバーで被覆しておくことで、鉄塔基礎の上面への泥の跳ね上がりを防ぐことができる。
【先行技術文献】
【特許文献】
【０００４】
【特許文献１】実開平７−２１９３０号公報
【発明の概要】
【発明が解決しようとする課題】
【０００５】
上述の特許文献１に開示される考案を用いる場合も、鉄塔基礎の上面への泥の跳ね上がりを好適に防ぐことができると考えられるが、特許文献１に開示される考案を用いる場合は以下に示すような不具合が生じることが予測される。
通常、作業者が鉄塔を昇り降りする場合、鉄塔基礎の上面を足場として利用している。このため、特許文献１に開示される考案を用いる場合は、鉄塔基礎の上面を足場として使用するにあたり、その都度カバーを着脱する必要があり煩雑であった。
また、特許文献１に開示される考案を用いる場合は、地面とカバーの間に隙間が形成されていないので、地面に浸み込んだ雨水が水蒸気としてカバーの内側にとどまる可能性が高く、かえって鉄塔脚部の根元の腐食を促進させてしまうという懸念もあった。
【０００６】
本発明はかかる従来の事情に対処してなされたものでありその目的は、鉄塔基礎の上面への泥の跳ね上がりを防止することができ、かつ、鉄塔基礎の上面を鉄塔に昇り降りする際の足場として常時使用することができる鉄塔脚部の腐食防止泥除けを提供することにある。
【課題を解決するための手段】
【０００７】
上記課題を解決するための第１の発明である鉄塔脚部の腐食防止泥除けは、鉄塔基礎の周囲を囲むように立設されている第１の板体と、この第１の板体の上端に固設され、鉛直上方側でかつ鉄塔基礎から離れる方向に傾いた状態で配されている第２の板体と、を有していることを特徴とするものである。
上記構成の第１の発明において第１の板体は、第２の板体を支持するとともに、降雨時に地面から泥が鉄塔基礎の上面に跳ね上がるのを妨げるという作用を有する。第２の板体は、降雨時に地面から泥が鉄塔基礎の上面に跳ね上がるのを妨げるという作用を有する。
また、上述の第１の発明を鉄塔基礎の周囲を囲むように配した際に、鉄塔基礎の上面は常時解放状態になるので、いつでも足場として使用可能にするという作用を有する。
【０００８】
第２の発明である鉄塔脚部の腐食防止泥除けは、上述の第１の発明であって、第１の板体に対する第２の板体のなす角度θは、９０°≦θ≦１３５°を満たしていることを特徴とするものである。
上記構成の第２の発明は、上述の第１の発明による作用と同じ作用に加えて、第１の板体に対する第２の板体のなす角度θが９０°≦θ≦１３５°を満たしていることで、第１の板体及び第２の板体による泥の跳ね上がり防止効果を確実に発揮させつつ、連結体を平坦な板体により構成する場合に比べて、つまり、第１の板体及び第２の板体のなす角度θを１８０°に設定する場合に比べて、連結体の鉛直方向高さをよりも低くするという作用を有する。この場合、第２の発明を常設しておく際に、第１の板体及び第２の板体からなる連結体を作業者が跨ぐのを容易にするという作用を有する。
【０００９】
第３の発明である鉄塔脚部の腐食防止泥除けは、上述の第１又は第２の発明であって、第１の板体は、この第１の板体が立設されている地面の地際から鉛直上方側に向かって第１の板体を切り欠いてなる少なくとも１のスリットを備えていることを特徴とするものである。
上記構成の第３の発明は、上述の第１又は第２の発明による作用と同じ作用に加えて、スリットは、上述の第１及び第２の板体により囲まれている空間の内側の雨水を外側に導出させるという作用を有する。
第３の発明では、上述のようなスリットを備えていることで、鉄塔の脚部を通じて鉄塔基礎に流下してきた雨水を、第１及び第２の板体により囲まれている空間の外にスムーズに排出させるという作用を有する。
【００１０】
第４の発明である鉄塔脚部の腐食防止泥除けは、上述の第１又は第２の発明であって、第１の板体と第２の板体が一体化してなる連結体が鉛直方向に沿って２つ以上に分割されてなる分割片と、この分割片同士の間に形成されている第１の隙間と、を有していることを特徴とするものである。
上記構成の第４の発明は、上述の第１又は第２の発明による作用と同じ作用に加えて、第１の板体と第２の板体が一体化してなる連結体を複数の分割片により構成することで、この分割片の立体形状をコンパクトにするという作用を有する。
「鉛直方向に沿って分割される」とは、分割線が鉛直方向に生じ、分割片がいわばそれぞれ水平方向に配置されることを意味するものである。この場合、設置予定個所への分割片の搬送を容易にするという作用を有する。
【００１１】
第５の発明である鉄塔脚部の腐食防止泥除けは、上述の第４の発明であって、第１の隙間は、連結体を鉄塔基礎の周囲に設置した状態で平面視した場合に、鉄塔基礎の角部と対応する位置に配されていることを特徴とするものである。
上記構成の第５の発明は、上述の第４の発明による作用と同じ作用を有する。
また、第５の発明において、第１の隙間が鉄塔基礎の角部と対応する位置に配されているということは、連結体が鉄塔基礎の角部に対応する位置において分割されていることを意味している。
この場合、第５の発明を構成する分割片の立体形状を、先の第４の発明を構成する分割片の外形よりもさらにコンパクトにするという作用を有する。
これにより、接地予定個所への第５の発明の搬送を一層容易にするという作用を有する。
【００１２】
第６の発明である鉄塔基礎構造は、鉄塔基礎と、この鉄塔基礎の周囲を囲むように配設されている請求項１乃至請求項５のいずれか１項に記載の鉄塔脚部の腐食防止泥除けと、鉄塔基礎と第１の板体の間に形成されている第２の隙間と、鉄塔脚部の根元に取設され、その下端が第２の隙間に裸出している地面に挿設されている接地線と、を有していることを特徴とするものである。
上記構成の第６の発明は、上述の第１乃至第５のそれぞれの発明による作用と同じ作用に加えて、鉄塔基礎の周側面と、第１の板体との間に第２の隙間を形成しておき、この第２の隙間に裸出している地面に鉄塔脚部の根元に取設されている接地線の下端を挿設しておくことで、第６の発明の周囲において草刈りを行う際に、草刈り機の刃が接地線に触れて、接地線が切断されてしまうのを防止するという作用を有する。
【発明の効果】
【００１３】
上記構成の第１の発明によれば、鉄塔基礎の周囲を囲むように配置される第１の板体と第２の板体とからなる連結体により、降雨時に鉄塔基礎の周囲の泥が、鉄塔基礎の上面に跳ね上がるのを防ぐことができる。
また、第１の発明によれば、第１の板体と第２の板体とからなる連結体を、鉄塔基礎の周囲を囲むように配置した場合でも、鉄塔基礎の上面を解放状態にしておくことができるので、作業者は鉄塔基礎の上面をいつでも足場として使用することができる。
しかも、第１の発明は、鉄塔基礎の周囲に常設しておくことができる。このため、降雨時に鉄塔基礎の周囲の泥が鉄塔基礎の上面に跳ね上がるのを常時防ぐことができる。
また、第１の発明の場合は、第１の板体と第２の板体とからなる連結体の上部が解放された状態になっているため、先の特許文献１に開示される考案のように、鉄塔脚部の根元付近に湿気が溜まる恐れもない。
【００１４】
第２の発明によれば、第１の発明による効果と同じ効果に加えて、第１の板体に対する第２の板体のなす角度が９０°≦θ≦１３５°となるように設定しておくことで、第１の板体及び第２の板体からなる連結体の鉛直方向の高さを、第１の板体の同一平面上に第２の板体を連結した場合に比べて低くすることができる。
また、鉄塔基礎の上面を足場にして作業者が鉄塔に昇り降りする際に、第２の板体の上端が、作業者の移動の妨げになるのを好適に防止することができる。
このように第２の発明によれば、鉄塔基礎の周囲に第２の発明を設置した際の、鉄塔基礎の上面の利便性が低下するのを回避することができる。
【００１５】
第３の発明によれば、第１又は第２の発明による効果と同じ効果に加えて、第１の板体と第２の板体とからなる連結体がスリットを備えていることで、環状をなす連結体の内側に溜まった雨水を、スリットを介して連結体の外側に導出することができる。
通常、鉄塔に降り注いだ雨水は、鉄塔脚部を介して鉄塔基礎に流下する。その一方で、鉄塔基礎の周囲に第１の板体と第２の板体とからなる連結体で囲った場合、その内側に雨水が溜まるという懸念が生じるが、連結体がスリットを有していることで、連結体の内側に溜まった雨水を連結体の外にスムーズに排出することができる。
この結果、第３の発明によれば、鉄塔基礎の周囲の水はけを良好にすることができ、鉄塔脚部の根元の風乾を促進することができる。
【００１６】
第４の発明によれば、第１又は第２の発明による効果と同じ効果に加えて、第１の板体と第２の板体とを一体化してなる連結体を複数の分割片により構成することで、設置前の連結体の立体形状をコンパクトにすることができる。
通常、鉄塔は、山間部の奥地に設置される場合も多く、第４の発明を設置するためには上述のような連結体を現地まで搬送する必要があった。
そして、第１又は第２の発明のように、連結体が環状をなしている場合は、鉄等基礎の周囲に連結体を設置する際に、予め連結体を分割しておき、この分割された連結体を現地で一体化して環状にする必要があった。そして、特に第１の板体及び第２の板体が鋼板である場合は、連結体を一体化するために溶接する必要があった。この場合、連結体を分割してなるものを搬送する手間に加えて、溶接のための機材も搬送する必要があり、設置作業が極めて煩雑であった。
これに対して、第４の発明のように連結体を複数の分割片により構成する場合は、個々の分割片の立体形状をコンパクトにできるので連結体の搬送を容易にできる。加えて、第４の発明の場合は、上述の第３の発明におけるスリットに代えて分割片同士の間に形成される第１の隙間を有しているので、その設置時に分割片同士を一体化して環状にする必要がない。特に、第１の板体及び第２の板体が鋼板である場合は、分割片同士を溶接する必要がなくなる。そして、これに伴い溶接のための機材を現地に搬送する必要もなくなるので、第４の発明を鉄塔基礎の周囲に設置する際の手間を大幅に軽減することができる。
この結果、第４の発明によれば、現場への搬送及び設置が容易な鉄塔脚部の腐食防止泥除けを提供することができる。
【００１７】
第５の発明によれば、第４の発明による効果と同じ効果に加えて、個々の分割片の立体形状を一層コンパクトにすることができる。
この場合、第５の発明における個々の分割片の搬送を一層容易にすることができる。
【００１８】
第６の発明によれば、第１乃至第５のそれぞれの発明による効果と同じ効果に加えて、第１の板体と鉄塔基礎の周側面との間に第２の隙間を形成しておき、この第２の隙間に裸出している地面に、鉄塔脚部の根元に取設されている接地線の下端を挿設しておくことで、接地線を第１の板体と第２の板体とからなる連結体により保護することができる。
一般に、草が繁茂する時期に、鉄塔基礎の周囲の草刈りが行われる。そして、鉄塔基礎の周囲に本発明に係る鉄塔脚部の腐食防止泥除けを備えない場合は、草刈り機の刃が接地線に触れて接地線が切断されてしまう場合があった。
これに対し、第６の発明によれば、第１の板体と鉄塔基礎の間に形成される第２の隙間に接地線を収容しておくことができるので、草刈り時に接地線が草刈り機の刃に触れるのを確実に防止することができる。
したがって、第６の発明によれば、鉄塔の機能の保全効果も発揮させることができる。
【図面の簡単な説明】
【００１９】
【図１】本発明の実施例１に係る鉄塔脚部の腐食防止泥除けおよびそれを備えた鉄塔基礎構造の斜視図である。
【図２】本発明の実施例１に係る鉄塔脚部の腐食防止泥除けおよびそれを備えた鉄塔基礎構造の鉛直方向断面図である。
【図３】本発明の実施例２に係る鉄塔脚部の腐食防止泥除けおよびそれを備えた鉄塔基礎構造の斜視図である。
【図４】本発明の実施例３に係る鉄塔脚部の腐食防止泥除けの斜視図である。
【図５】本発明の実施例４に係る鉄塔脚部の腐食防止泥除けおよびそれを備えた鉄塔基礎構造の平面図である。
【発明を実施するための形態】
【００２０】
本発明の実施の形態に係る鉄塔脚部の腐食防止泥除けおよびそれを備えた鉄塔基礎構造について図１乃至５を参照しながら詳細に説明する。
【実施例１】
【００２１】
はじめに、図１及び図２を参照しながら本発明の実施例１に係る鉄塔脚部の腐食防止泥除けおよびそれを備えた鉄塔基礎構造について説明する。
図１は本発明の実施例１に係る鉄塔脚部の腐食防止泥除けおよびそれを備えた鉄塔基礎構造の斜視図である。また、図２は本発明の実施例１に係る鉄塔脚部の腐食防止泥除けおよびそれを備えた鉄塔基礎構造の鉛直方向断面図である。
図１，２に示すように、実施例１に係る鉄塔脚部の腐食防止泥除け１Ａは、鉄塔基礎１０の周囲を囲むように立設されている第１の板体２と、この第１の板体２の上端に固設され、鉛直上方側でかつ鉄塔基礎１０から離れる方向に傾いた状態で配されている第２の板体３と、を有するものである。なお、実施例１に係る鉄塔脚部の腐食防止泥除け１Ａを別の言葉で言い換えると、環状をなす第１の板体２と、同じく環状をなす第２の板体３とが鉛直方向に一体化してなる連結体７からなるものである。
また、実施例１に係る鉄塔基礎構造１２Ａは、鉄塔基礎１０と、この鉄塔基礎１０の周囲を囲むように配設されている鉄塔脚部の腐食防止泥除け１Ａと、鉄塔基礎１０と第１の板体２の間に形成されている第２の隙間９と、鉄塔脚部１１の根元１１ａに取設され、その下端６ａが第２の隙間９から裸出している地面１３に挿設されている接地線６と、を有するものである。
【００２２】
上述のような実施例１に係る鉄塔脚部の腐食防止泥除け１Ａおよびそれを備えた鉄塔基礎構造１２Ａによれば、鉄塔基礎１０が連結体７により囲まれているので、降雨時に鉄塔基礎１０の周囲の泥が、鉄塔基礎１０の上面１０ａに跳ね上がるのを好適に防止することができる。
この場合、鉄塔（図示せず）から流下してくる雨水が、鉄塔基礎１０の上面１０ａに跳ね上がった泥に保持されて、鉄塔脚部１１の根元１１ａが湿った状態が長く続くのを防止することができ、降雨後に鉄塔脚部１１の根元１１ａを速やかに風乾させることができる。
この結果、鉄塔脚部１１の根元１１ａ付近の腐食の進行を遅延させることができる。そして、これにより鉄塔の耐用年数を長くすることができる。
【００２３】
さらに、実施例１に係る鉄塔脚部の腐食防止泥除け１Ａは、連結体７の上端側がテーパー状に拡径しているので、鉄塔基礎１０の周囲に設置した際に、鉄塔基礎１０の上面１０ａに第２の板体３が覆いかぶさった状態にならず、常時開放状態にしておくことができる。
このため、鉄塔基礎１０の周囲に実施例１に係る鉄塔脚部の腐食防止泥除け１Ａを常設した際に、鉄塔基礎１０の上面１０ａを作業者が鉄塔を昇り降りする際の足場として使用することができる。
また、実施例１に係る鉄塔脚部の腐食防止泥除け１Ａおよび鉄塔基礎構造１２Ａでは、第２の板体３が鉄塔基礎１０から離れる方向につば状に傾いた状態で配設されているため、鉄塔基礎１０の上面１０ａを作業者が足場として利用して鉄塔に昇り降りする場合でも、第２の板体３が作業者の移動の妨げになり難い。
このように実施例１に係る鉄塔脚部の腐食防止泥除け１Ａによれば、鉄塔脚部１１の根元１１ａの腐食防止効果を発揮させつつ、連結体７を常設しておく場合も鉄塔基礎１０の上面１０ａを作業時の足場として使用することができる。
【００２４】
さらに、実施例１に係る鉄塔基礎構造１２Ａによれば、鉄塔基礎１０と連結体７の間に第２の隙間９を形成しておき、この第２の隙間９から裸出している地面１３に接地線６の下端６ａが挿設されていることで、接地線６を連結体７により保護しておくことができる。
この場合、例えば草が繁茂した際に、鉄塔基礎１０の周囲を草刈り機により草刈りを行う際に、草刈り機の刃が接地線６に触れて切断されてしまうのを好適に防止することができる。
よって、実施例１に係る鉄塔基礎構造１２Ａによれば、鉄塔にかかわる機能の保全効果も併せて発揮させることができる。
【００２５】
なお、実施例１に係る鉄塔脚部の腐食防止泥除け１Ａおよび鉄塔基礎構造１２Ａに係る第１の板体２や第２の板体３の材質としては、十分な耐候性を有するものであればどのようなものを使用してもよい。例えば、木材、合成樹脂、鋼板等を適宜使用することができる。また、第１の板体２と第２の板体３の材質を統一しておく必要はなく、第１の板体２と第２の板体３を異素材により構成してもよい。
また、実施例１に係る鉄塔脚部の腐食防止泥除け１Ａおよび鉄塔基礎構造１２Ａに係る連結体７は、鉄塔基礎１０の施工と同時に設置してもよいし、既存の鉄塔基礎１０の周囲に後付けしてもよい。
さらに、実施例１に係る鉄塔脚部の腐食防止泥除け１Ａおよび鉄塔基礎構造１２Ａに係る連結体７の設置方法としては、例えば、鉄塔基礎１０の周囲の地面１３を掘り起こして、鉛直方向に沿って分割された連結体７を立設した後、第１の板体２の下端側を地面１３中に埋め戻してから、分割された状態の連結体７を一体化すればよい。あるいは、第１の板体２の下端側を地面１３中に埋め戻す前に、分割された状態の連結体７を一体化してもよい。
また、例えば、連結体７を、その全体が可撓性又は変形性を有する材質により構成される場合は、環状を成す連結体７に、この環状を解除するような切れ目を形成しておき、鉄塔基礎１０の周囲を切れ目を有する連結体７で囲ってから、この切れ目をつなぎ合わせて再び連結体７を環状に戻してもよい。
なお、実施例１に係る鉄塔脚部の腐食防止泥除け１Ａにおいて、第１の板体２と第２の板体３とを一体化させるには、例えば、これらが鋼板からなる場合は溶接する、あるいは、後付けの固定具によりこれらを一体化してもよい。また、第１の板体２と第２の板体３とが、木材や合成樹脂からなる板体により構成される場合は、接着剤、ネジ、ボルト及びナット等の従来公知の固定具や固定手段を用いてこれらを一体化させてもよい。また、分割された状態の連結体７を一体化する手段として、上述の手段を支障なく採用することができる。
【００２６】
また、図１，２に示すように、実施例１に係る鉄塔脚部の腐食防止泥除け１Ａおよび鉄塔基礎構造１２Ａでは、第１の板体２と第２の板体３のなす角度θが、９０°≦θ≦１３５°を満たすように構成しておくとよい。
この場合、第１の板体２及び第２の板体３による鉄塔基礎１０の上面１０ａへの泥の跳ね上がりを好適に防止しつつ、鉄塔基礎１０の上面１０ａ上を足場にする際に、第２の板体３が、作業者が移動する際の妨げになるのを好適に抑制することができる。
なお、図１，２に示す鉄塔脚部の腐食防止泥除け１Ａでは、連結体７の第２の板体３が平板状である場合を例に挙げて説明しているが、第２の板体３の断面はその上端に向かって広がるテーパー状の曲線を成していてもよい。この場合も、目的とする効果を十分に発揮させることができる。
【００２７】
なお、上述の実施例１に係る鉄塔脚部の腐食防止泥除け１Ａは、排水性が比較的良好な地面１３への設置を前提としている。
このため、実施例１に係る鉄塔基礎構造１２Ａでは、鉄塔基礎１０の全周が連結体７により囲まれていても、鉄塔脚部１１を伝って鉄塔から流下する雨水を、第２の隙間９を介して地面１３にスムーズに排出することができる。
しかしながら、連結体７を設置する地面１３の排水性がさほど良好でない場合は、鉄塔脚部１１を伝って流下してきた雨水が連結体７の内側の第２の隙間９に溜まってしまうおそれもある。
このような事情に鑑み実施例１に係る鉄塔脚部の腐食防止泥除け１Ａを改良してなるものが、以下に示す実施例２に係る鉄塔脚部の腐食防止泥除けおよびそれを備えてなる鉄塔基礎構造である。
【実施例２】
【００２８】
図３は本発明の実施例２に係る鉄塔脚部の腐食防止泥除けおよびそれを備えた鉄塔基礎構造の斜視図である。なお、図１及び図２に記載されたものと同一部分については同一符号を付し、その構成についての説明は省略する。
図３に示すように、実施例２に係る鉄塔脚部の腐食防止泥除け１Ｂは、先の図１，２に示す連結体７における第１の板体２が、この第１の板体２が立設されている地面１３の地際から鉛直上方に向かって第１の板体２を切り欠いてなる少なくとも１のスリット４を有するものである。
また、実施例２に係る鉄塔基礎構造１２Ｂは、先の図１，２に示す実施例１に係る鉄塔基礎構造１２Ａにおける鉄塔脚部の腐食防止泥除け１Ａを、実施例２に係る鉄塔脚部の腐食防止泥除け１Ｂに置き換えたものである。
【００２９】
上述のような実施例２に係る鉄塔脚部の腐食防止泥除け１Ｂおよびそれを備えた鉄塔基礎構造１２Ｂによれば、鉄塔基礎１０の周囲を囲むように設置されている連結体７の地際にスリット４を備えていることで、鉄塔基礎１０に流下してきた雨水をこのスリット４から連結体７の外にスムーズに排出することができる。
この結果、降雨後に鉄塔基礎１０の周囲、及び、鉄塔脚部１１の根元１１ａにおける雨水の滞留期間を短くできる。これにより、鉄塔脚部１１の根元１１ａが風乾しやすくなり、この部分の腐食の進行を遅らせることができる。したがって、実施例２に係る鉄塔脚部の腐食防止泥除け１Ｂおよびそれをそなえた鉄塔基礎構造１２Ｂによれば、鉄塔の耐用年数を長くすることができる。
【実施例３】
【００３０】
続いて図４を参照しながら実施例３に係る鉄塔脚部の腐食防止泥除けについて詳細に説明する。
図４は本発明の実施例３に係る鉄塔脚部の腐食防止泥除けの斜視図である。なお、図１乃至図３に記載されたものと同一部分については同一符号を付し、その構成についての説明は省略する。
図４に示すように、実施例３に係る鉄塔脚部の腐食防止泥除け１Ｃは、先の図１に示す連結体７を、鉛直方向に沿って複数に分割してなる分割片８（ただし、図４では分割片８が２つである場合を例示している）と、この分割片８を鉄塔基礎１０の周囲に配設した際に、分割片８同士の間に形成される第１の隙間５を有してなるものである。
【００３１】
このような実施例３に係る鉄塔脚部の腐食防止泥除け１Ｃにおける第１の隙間５は、上述の実施例２に係る鉄塔脚部の腐食防止泥除け１Ｂにおけるスリット４と同じ作用効果を有する。
したがって、実施例３に係る鉄塔脚部の腐食防止泥除け１Ｃによれば、実施例２に係る鉄塔脚部の腐食防止泥除け１Ｂと同様に、連結体７の内側に溜まった雨水を第１の隙間５を介して連結体７の外にスムーズに導出させることができる。これにより、鉄塔脚部１１の根元１１ａが風乾されやすくなり、この部分の腐食の進行を遅らせることができる。
さらに、実施例３に係る鉄塔脚部の腐食防止泥除け１Ｃでは、複数の分割片８同士の間に形成される第１の隙間５が図３に示されるスリット４と同じ役割を果たすため、鉄塔基礎１０の周囲に分割片８を設置する際に、分割片８同士を一体化させる必要がない。
したがって、実施例３に係る鉄塔脚部の腐食防止泥除け１Ｃによれば、上記効果に加えて、連結体７の設置時の手間を軽減することができるという効果を有する。
また、実施例３に係る鉄塔脚部の腐食防止泥除け１Ｃの場合、連結体７が複数の分割片８により構成されるため、個々の分割片８の立体形状をコンパクトにすることができる。これに伴い鉄塔脚部の腐食防止泥除け１Ｃの設置現場への分割片８の搬送を一層容易にすることができる。
このような実施例３に係る鉄塔脚部の腐食防止泥除け１Ｃによれば、設置と撤去がより容易な鉄塔脚部の腐食防止泥除けを提供することができる。
【００３２】
なお、実施例３に係る鉄塔脚部の腐食防止泥除け１Ｃにおいて、連結体７に形成されている第１の隙間５の数は１でも発明としては成り立つ。
この場合、鉄塔基礎１０の周囲に設置する連結体７の材質を、可撓性を有するものにすれば、連結体７を一体ものとして取り扱うことが可能である。
その一方で、連結体７を構成する第１の板体２及び第２の板体３が、剛性を有する場合、例えば、第１の板体２及び第２の板体３が鋼板や木製の板材等からなる場合は、鉄塔基礎１０の周囲に連結体７を配設する際に、第１の隙間５を有する連結体７を一旦複数のパーツに分解しておく必要がある。
つまり、連結体７を構成する分割片８の数が１であり、第１の隙間５の数も１である場合は、そのままの状態では鉄塔基礎１０の周囲に連結体７を設置することができない。このため、連結体７を構成する材質が剛性を有する場合は、少なくとも連結体７を２つ以上の分割片８により構成するとともに、分割片８からなる第１の隙間５の数も２以上に設定しておく必要がある。
【００３３】
また、先の図１に示す実施例１に係る鉄塔基礎構造１２Ａにおける鉄塔脚部の腐食防止泥除け１Ａを、図４に示す実施例３に係る鉄塔脚部の腐食防止泥除け１Ｃに置換したものが、実施例３に係る鉄塔基礎構造（図示せず）である。
このような実施例３に係る鉄塔基礎構造によれば、上述の鉄塔脚部の腐食防止泥除け１Ｃによる効果と同じ効果に加えて、実施例１に係る鉄塔基礎構造１２Ａによる効果と同じ効果を発揮させることができる。
【実施例４】
【００３４】
最後に、本発明の実施例４に係る鉄塔脚部の腐食防止泥除けおよびそれを備えた鉄塔基礎構造について図５を参照しながら説明する。
図５は本発明の実施例４に係る鉄塔脚部の腐食防止泥除けおよびそれを備えた鉄塔基礎構造の平面図である。なお、図１乃至図４に記載されたものと同一部分については同一符号を付し、その構成についての説明は省略する。
実施例４に係る鉄塔脚部の腐食防止泥除け１Ｄは、先の実施例３に係る鉄塔脚部の腐食防止泥除け１Ｃおよびそれを備えた鉄塔基礎構造の変形例である。
実施例４に係る鉄塔脚部の腐食防止泥除け１Ｄは、図５に示すように、連結体７を構成する複数の分割片８を鉄塔基礎１０の周囲に設置した状態で平面視した際に、第１の隙間５が鉄塔基礎１０の角部１０ｂと対応する位置に配置されてなるものである。
【００３５】
このような実施例４に係る鉄塔脚部の腐食防止泥除け１Ｄによれば、連結体７を構成する個々の分割片８の立体形状をよりシンプルにすることができる。
つまり、先の実施例３に係る鉄塔脚部の腐食防止泥除け１Ｃの場合は、例えば、先の図４に示すように、第１の隙間５の形成位置によっては、分割片８の立体形状が、第１の板体２同士又は第２の板体３同士が連結されてなる立体的なコーナーを有する場合がある。
この場合、分割片８を重ねて持ち運ぶことは可能であるが、立体的なコーナーを有していることで、全体としての嵩が大きくなってしまい搬送や保管に不利になることがある。
これに対して、図５に示す実施例５に係る鉄塔脚部の腐食防止泥除け１Ｃのように、第１の板体２と第２の板体３とからなる連結体７における第１の隙間５の形成位置を、平面視した際の鉄塔基礎１０の角部と対応する位置に特定することで、連結体７を立体的なコーナーを有しない形態にすることができる。
したがって、実施例４に係る鉄塔脚部の腐食防止泥除け１Ｄによれば、先の実施例３に係る鉄塔脚部の腐食防止泥除け１Ｃよりも、分割片８自体の嵩を小さくすることができるので、その搬送を一層容易にすることができる。
また、実施例４に係る鉄塔脚部の腐食防止泥除け１Ｄの場合、分割片８を製造する際に、分割片８に第１の板体２同士、及び、第２の板体３同士が所望の角度で連結されてなるコーナー形状を形成する必要がないので、分割片８の製造を容易にすることができる。
よって、実施例４に係る鉄塔脚部の腐食防止泥除け１Ｄによれば、その取扱いが容易でかつ廉価な鉄塔脚部の腐食防止泥除けを提供することができる。
【００３６】
また、先の図１に示す実施例１に係る鉄塔基礎構造１２Ａにおける鉄塔脚部の腐食防止泥除け１Ａを、図５に示す実施例４に係る鉄塔脚部の腐食防止泥除け１Ｄに置換したものが、実施例４に係る鉄塔基礎構造１２Ｄ（図５を参照）である。
このような実施例４に係る鉄塔基礎構造１２Ｄによれば、上述の鉄塔脚部の腐食防止泥除け１Ｄによる効果と同じ効果に加えて、実施例１に係る鉄塔基礎構造１２Ａによる効果と同じ効果を発揮させることができる。
【産業上の利用可能性】
【００３７】
以上説明したように本発明は、降雨時に鉄塔基礎の上面に泥が跳ね上がるのを防止しつつ、鉄塔基礎の上面を鉄塔に昇り降りする際の足場として常時使用することを可能にする鉄塔脚部の腐食防止泥除けおよびそれを備えた鉄塔基礎構造であり、電力供給設備の保全に関する技術分野において利用可能である。
【符号の説明】
【００３８】
１Ａ〜１Ｄ…鉄塔脚部の腐食防止泥除け  ２…第１の板体  ３…第２の板体  ４…スリット  ５…第１の隙間  ６…接地線  ６ａ…下端  ７…連結体  ８…分割片  ９…第２の隙間  １０…鉄塔基礎  １０ａ…上面  １０ｂ…角部  １１…鉄塔脚部  １１ａ…根元  １２Ａ，１２Ｂ,１２Ｄ…鉄塔基礎構造  １３…地面
【図１】
2019065659.tif 000003
【図２】
2019065659.tif 000004
【図３】
2019065659.tif 000005
【図４】
2019065659.tif 000006
【図５】
2019065659.tif 000007